(57)【要約】【課題】  ユーザがプライマリ・オーディオデータとセカンダリ・オーディオデータのミキシングレベルを設定することができるオーディオ再生装置を提供する。【解決手段】  プライマリおよびセカンダリ・オーディオデータをデコードするデコード部と、プライマリおよびセカンダリのミキシングレベルをユーザが設定するための設定部と、メタデータのゲインの値を基準レベルとして、設定部によるミキシングレベルの設定に応じてプライマリおよびセカンダリ・オーディオデータのゲインの値を変化させるメタデータコントロール部と、メタデータコントロール部が変化させたゲインの値に応じてプライマリおよびセカンダリ・オーディオデータのゲインを変化させるゲインコントロール部と、ゲインコントロール部によりゲインが変化されたプライマリおよびセカンダリ・オーディオデータをミキシングするミキサー部と、オーディオデータを出力する出力部とを備える。【選択図】  図１
2010231847.tif 000002
【特許請求の範囲】
【請求項１】
プライマリ・オーディオデータおよびセカンダリ・オーディオデータをデコードするデコード部と、
前記デコード部によりデコードされたプライマリ・オーディオデータおよびセカンダリ・オーディオデータのミキシングレベルをユーザが設定するための設定部と、
メタデータのゲインの値を基準レベルとして、前記設定部によるプライマリ・オーディオデータおよびセカンダリ・オーディオデータのミキシングレベルの設定に応じてプライマリ・オーディオデータおよびセカンダリ・オーディオデータのゲインの値を変化させるメタデータコントロール部と、
前記メタデータコントロール部が変化させたプライマリ・オーディオデータおよびセカンダリ・オーディオデータのゲインの値に応じてプライマリ・オーディオデータおよびセカンダリ・オーディオデータのゲインを変化させるゲインコントロール部と、
前記ゲインコントロール部によりゲインが変化されたプライマリ・オーディオデータおよびセカンダリ・オーディオデータをミキシングするオーディオミキサー部と、
前記オーディオミキサー部がミキシングしたオーディオデータを出力する出力部とを備えることを特徴とするオーディオ再生装置。
【請求項２】
請求項１記載のオーディオ再生装置において、
前記メタデータコントロール部は、前記設定部によりプライマリ・オーディオデータのミキシングレベルを上げる設定がされた場合、プライマリ・オーディオデータのゲインの値を上げると共にプライマリ・オーディオデータのゲインの値を上げた分だけセカンダリ・オーディオデータのゲインの値を下げ、前記設定部によりセカンダリ・オーディオデータのミキシングレベルを上げる設定がされた場合、セカンダリ・オーディオデータのゲインの値を上げると共にセカンダリ・オーディオデータのゲインの値を上げた分だけプライマリ・オーディオデータのゲインの値を下げることを特徴とするオーディオ再生装置。
【発明の詳細な説明】
【技術分野】
【０００１】
本発明は、プライマリ・オーディオデータおよびセカンダリ・オーディオデータをミキシングして再生することができるオーディオ再生装置に関する。
【背景技術】
【０００２】
近年、ビデオデータやオーディオデータが記録可能な記録媒体としてブルーレイディスクが普及している。このブルーレイディスクは、ＤＶＤよりも大容量のデータを記録することができるだけでなく、さまざまな機能を有している。ブルーレイディスクには、主音声となるプライマリ・オーディオデータの他に副音声となるセカンダリ・オーディオデータが記録されている場合がある。このセカンダリ・オーディオデータには、メタデータが付加されている。このメタデータには、プライマリ・オーディオデータとセカンダリ・オーディオデータをミキシングする際のゲインの値が設定されている。ブルーレイディスクを再生する再生装置はミキサーを備え、ディスクから読み出したプライマリ・オーディオデータとセカンダリ・オーディオデータをそれぞれデコードした後、ミキサーにおいてプライマリ・オーディオデータとセカンダリ・オーディオデータがメタデータのゲイン設定値でミックスされる。
【先行技術文献】
【特許文献】
【０００３】
【特許文献１】国際公開番号２００６/０８０４６０号公報
【発明の概要】
【発明が解決しようとする課題】
【０００４】
従来技術において、プライマリ・オーディオデータとセカンダリ・オーディオデータのミキシングは、メタデータのゲイン設定値によりミキシングレベルが決定されてしまう。このため、ユーザが希望するミキシングレベルで、プライマリ・オーディオデータとセカンダリ・オーディオデータがミキシングされたオーディオデータを聴くことができなかった。
【０００５】
本発明は、上記の課題を解決するためになされたものであり、ユーザがプライマリ・オーディオデータとセカンダリ・オーディオデータのミキシングレベルを設定することができるオーディオ再生装置を提供することを目的とする。
【課題を解決するための手段】
【０００６】
上記の課題を解決するために、本発明におけるオーディオ再生装置は、プライマリ・オーディオデータおよびセカンダリ・オーディオデータをデコードするデコード部と、前記デコード部によりデコードされたプライマリ・オーディオデータおよびセカンダリ・オーディオデータのミキシングレベルをユーザが設定するための設定部と、メタデータのゲインの値を基準レベルとして、前記設定部によるプライマリ・オーディオデータおよびセカンダリ・オーディオデータのミキシングレベルの設定に応じてプライマリ・オーディオデータおよびセカンダリ・オーディオデータのゲインの値を変化させるメタデータコントロール部と、前記メタデータコントロール部が変化させたプライマリ・オーディオデータおよびセカンダリ・オーディオデータのゲインの値に応じてプライマリ・オーディオデータおよびセカンダリ・オーディオデータのゲインを変化させるゲインコントロール部と、前記ゲインコントロール部によりゲインが変化されたプライマリ・オーディオデータおよびセカンダリ・オーディオデータをミキシングするオーディオミキサー部と、前記オーディオミキサー部がミキシングしたオーディオデータを出力する出力部とを備えることを特徴とする。
【０００７】
また、上記のオーディオ再生装置において、前記メタデータコントロール部は、前記設定部によりプライマリ・オーディオデータのミキシングレベルを上げる設定がされた場合、プライマリ・オーディオデータのゲインの値を上げると共にプライマリ・オーディオデータのゲインの値を上げた分だけセカンダリ・オーディオデータのゲインの値を下げ、前記設定部によりセカンダリ・オーディオデータのミキシングレベルを上げる設定がされた場合、セカンダリ・オーディオデータのゲインの値を上げると共にセカンダリ・オーディオデータのゲインの値を上げた分だけプライマリ・オーディオデータのゲインの値を下げるようにしても良い。
【発明の効果】
【０００８】
本発明によれば、ユーザが希望するミキシングレベルで、プライマリ・オーディオデータとセカンダリ・オーディオデータをミキシングすることができるオーディオ再生装置を提供することができる。
【図面の簡単な説明】
【０００９】
【図１】本発明の一実施例であるオーディオ再生装置の構成を示すブロック図。
【図２】本実施例のオーディオ再生装置のオーディオデコーダ部の構成を示すブロック図。
【発明を実施するための形態】
【００１０】
以下、本発明の実施の形態を図面に基づいて説明する。
図１は、本発明の一実施例であるオーディオ再生装置の構成を示すブロック図である。図１に示すように、本実施例のオーディオ再生装置１は、ディスクドライブ部１０、信号処理部２０、アプリケーションブロック部３０、ビデオエンコーダ部４０、ＤＡＣ５０、出力部６０、システムコントローラ７０、設定部８０を備える。
【００１１】
ディスクドライブ部１０は、ブルーレイディスク等の記録媒体に記録されたデータを読み取る。ディスクドライブ部１０により読み取られたデータは、信号処理部２０により波形整形、復調やエラー訂正等の信号処理が施される。また、信号処理部２０は、信号処理がされたデータをビデオデータとオーディオデータに分離する。アプリケーションブロック部３０は、ビデオデコーダ部３１およびオーディオデコーダ部３２を備える。信号処理部２０によって分離されたビデオデータはビデオデコーダ部３１に入力され、また、分離されたオーディオデータはオーディオデコーダ部３２に入力される。
【００１２】
ビデオデコーダ部３１は、信号処理部２０から入力されたビデオデータ、例えばＭＰＥＧ方式等でフォーマットされたビデオデータをデコードする。デコードされたビデオデータは、ビデオエンコーダ部４０に入力される。オーディオデコーダ部３２は、信号処理部２０から入力されたオーディオデータ、例えばＤＯＬＢＹ ＤＩＧＩＴＡＬ（登録商標）、ｄｔｓ（登録商標）、ＬＰＣＭ、ＰＰＣＭ、ｍｐ３等のフォーマットのオーディオデータをデコードする。デコードされたオーディオデータは、デジタルオーディオ出力部６２に入力される。また、オーディオデコーダ部３２は、デコードしたオーディオデータを各チャンネルのオーディオデータに分離する。オーディオデコーダ部３２により分離されたオーディオデータは、ＤＡＣ５０に入力される。
【００１３】
アプリケーションブロック部３０は、ブルーレイディスクに記録されているオーディオ/ビデオのフォーマット情報をデコードする。アプリケーションブロック部３０は、このオーディオ/ビデオのフォーマット情報をデコードすることにより、オーディオストリームの数、プライマリ・オーディオやセカンダリ・オーディオの種類、オーディオデータのサンプリング周波数やオーディオデータのチャンネル数の情報を得る。
【００１４】
ビデオエンコーダ部４０は、ビデオデコーダ部３１から入力されたビデオデータをアナログビデオ信号に変換する。ビデオエンコーダ部４０により変換されたアナログビデオ信号は、ビデオ出力部６１に入力される。ＤＡＣ５０は、オーディオデコーダ部３２から入力されたオーディオデータをアナログオーディオ信号に変換する。本実施例において、ＤＡＣ５０は、チャンネル毎に複数のＤＡＣを備える。ＤＡＣ５０により変換された各チャンネルのアナログオーディオ信号は、アナログオーディオ出力部６３に入力される。
【００１５】
出力部６０は、ビデオ出力部６１、デジタルオーディオ出力部６２、アナログオーディオ出力部６３を備える。ビデオ出力部６１は、図示しない出力端子を備え、ビデオエンコーダ部４０から入力されたアナログビデオ信号を出力する。デジタルオーディオ出力部６２は、オーディオデコーダ部３２から入力されたオーディオデータに対して必要に応じてダウンミックスやダウンサンプリング等の処理を施し、デジタル音声インターフェース規格に準じたデジタル信号に変換して出力する。アナログオーディオ出力部６３は、例えば、最大で７．１チャンネルのアナログオーディオ信号と、２チャンネルのダウンミックスアナログオーディオ信号を同時に出力することを可能とするために、１０個の出力端子（ＦＬチャンネル、ＦＲチャンネル、Ｃチャンネル、ＳＬチャンネル、ＳＲチャンネル、ＳＢＬチャンネル、ＳＢＲチャンネル、ＳＷチャンネル、ＭＩＸＬチャンネル、ＭＩＸＲチャンネル）を備える。
【００１６】
システムコントローラ７０は、本実施例のオーディオ再生装置１を統括的に制御する。
設定部８０は、ユーザが操作することにより、ブルーレイディスク等から再生されるプライマリ・オーディオデータとセカンダリ・オーディオデータのミキシングレベルを設定する。設定部８０により設定されたミキシングレベルは、システムコントローラ７０を介してオーディオデコーダ部３２に入力される。ユーザは、この設定部８０を操作することにより、ミキシングレベルを設定することができる。設定部８０は、図示しない操作部やリモコンに備えられ、この操作部やリモコンは、設定部８０の他にオーディオ再生装置１の電源をオンオフする電源ボタンや音量設定ボタン等の操作ボタンを備える。
【００１７】
次に、本実施例のオーディオ再生装置において、プライマリ・オーディオデータとセカンダリ・オーディオデータのミキシングについて説明する。
図２は、本実施例のオーディオ再生装置のオーディオデコーダ部の構成を示すブロック図である。図２に示すように、オーディオデコーダ部３２は、オーディオデコーダ３２１、オーディオデコーダ３２２、メタデータコントロール３２３、ゲインコントロール３２４、ゲインコントロール３２５、オーディオミキサー３２６を備える。
【００１８】
オーディオデコーダ３２１は、プライマリ・オーディオデータをデコードする。プライマリ・オーディオデータは、ブルーレイディスク等に記録されたビデオデータの主音声である。オーディオデコーダ３２２は、セカンダリ・オーディオデータをデコードする。セカンダリ・オーディオデータは、ブルーレイディスク等に記録されたビデオデータの副音声である。メタデータコントロール３２３は、ブルーレイディスク等からセカンダリ・オーディオデータとともに読み出されたメタデータが入力される。メタデータには、出力されているプライマリ・オーディオデータにセカンダリ・オーディオデータをミキシングするゲインの値に関するデータが含まれている。メタデータコントロール３２３は、メタデータのゲインの値を基準レベルとして、設定部８０から入力されたミキシングレベルに応じてゲインの値を変更する。そして、ゲインコントロール３２４にプライマリ・オーディオデータに対するミキシングレベルのゲインの値を入力し、ゲインコントロール３２５にセカンダリ・オーディオデータに対するミキシングレベルのゲインの値を入力する。
【００１９】
ユーザが設定部８０を操作し、セカンダリ・オーディオデータのミキシングレベルを上げると、これに応じてメタデータコントロール３２３は、基準レベルからセカンダリ・オーディオデータのゲインの値を上げる。そして、セカンダリ・オーディオデータのゲインの値を上げた分、基準レベルからプライマリ・オーディオデータのゲインの値を下げる。例えば、設定部８０は、ユーザがセカンダリ・オーディオデータのミキシングレベルを２ｄＢ上げると、メタデータコントロール３２３において、セカンダリ・オーディオデータのゲインの値を基準レベルに対して２ｄＢ上げ、また、プライマリ・オーディオデータのゲインの値を基準レベルに対して２ｄＢ下げる。また、例えば、設定部８０は、ユーザがプライマリ・オーディオデータのミキシングレベルを２ｄＢ上げると、メタデータコントロール３２３において、プライマリ・オーディオデータのゲインの値を基準レベルに対して２ｄＢ上げ、また、セカンダリ・オーディオデータのゲインの値を基準レベルに対して２ｄＢ下げる。
【００２０】
通常、プライマリ・オーディオデータとセカンダリ・オーディオデータのゲインの値を基準レベルから変更した場合、ミキシングされたオーディオデータが最大出力を超えてしまいクリップノイズが発生する虞がある。このため、本実施例のように、一方のゲインを上げると、ゲインを上げた分だけ他方のゲインを下げるようにすることにより、プライマリ・オーディオデータとセカンダリ・オーディオデータのゲインを変更した場合でも、プライマリ・オーディオデータとセカンダリ・オーディオデータをミキシングしたオーディオデータにクリップノイズが発生してしまうことを防ぐことができる。
【００２１】
ゲインコントロール３２４は、メタデータコントロール３２３から入力されたミキシングレベルのゲインの値になるように、プライマリ・オーディオデータのゲインを変化させる。ゲインが変化されたプライマリ・オーディオデータは、オーディオミキサー３２６に入力される。また、ゲインコントロール３２５は、メタデータコントロール３２３から入力されたミキシングレベルのゲインの値になるように、セカンダリ・オーディオデータのゲインを変化させる。ゲインが変化されたセカンダリ・オーディオデータは、オーディオミキサー３２６に入力される。オーディオミキサー３２６は、入力されたプライマリ・オーディオデータとセカンダリ・オーディオデータをミキシングする。
【００２２】
本実施例のオーディオ再生装置１は、上述したようにブルーレイディスク等から読み出したプライマリ・オーディオデータとセカンダリ・オーディオデータをミキシングする構成としたが、ブルーレイディスク等から読み出したプライマリ・オーディオデータとネットワーク経由でダウンロードした当該ディスクに対応するセカンダリ・オーディオデータをミキシングする構成であってもよい。このような構成では、セカンダリ・オーディオデータをダウンロードするときにメタデータもダウンロードし、このメタデータに設定されているゲインの値を基準レベルとする。
【００２３】
以上、本実施例のオーディオ再生装置1は、ユーザが希望するミキシングレベルで、プライマリ・オーディオデータとセカンダリ・オーディオデータをミキシングすることができる。また、ミキシングレベルを変更してもミキシングされたオーディオデータにクリップノイズが発生してしまうことを防止することができる。
【産業上の利用可能性】
【００２４】
本発明は、プライマリ・オーディオデータおよびセカンダリ・オーディオデータをミキシングして出力することができるオーディオ再生装置について極めて有用である。
【符号の説明】
【００２５】
１…オーディオ再生装置、１０…ディスクドライブ部、２０…信号処理部、
３０…アプリケーションブロック部、３１…ビデオデコーダ部、３２…オーディオデコーダ部、
４０…ビデオエンコーダ部、５０…ＤＡＣ、６０…出力部、６１…ビデオ出力部、
６２…デジタルオーディオ出力部、６３…アナログオーディオ出力部、
７０…システムコントローラ、８０…設定部、
３２１…オーディオデコーダ、３２２…オーディオデコーダ、３２３…メタデータコントロール、
３２４…ゲインコントロール、３２５…ゲインコントロール、３２６…オーディオミキサー
【図１】
2010231847.tif 000003
【図２】
2010231847.tif 000004